(57)【特許請求の範囲】
【請求項１】
後部側に背もたれが形成された基板上面にクッションが取り付けられた構造の座部と、
該座部が回転軸支具を介し水平方向に回転自在に取り付けられている円板状の中台部と、
十字形に形成された架台部材と、該架台部材の四箇所の先端部に下方へ向け固定された脚部材とを有し、前記架台部材の各横架部に前記中台部が着脱自在である椅子脚部とを有し、
前記座部と中台部は、前記椅子脚部から取り外した状態で、前記中台部を台として前記座部を回転させることができる前記座部が低い回転椅子となるようにし、前記中台部を前記椅子脚部に固定することで、前記座部が高い脚付きの回転椅子となるようにしてある
椅子。
【請求項２】
脚部材と天板を有し、該天板の高さを調節する天板高さ調節手段を有すると共に、前記脚部材に天板の高さの変化に関わりなく、使用者の足が当たらないように切り欠いた逃げ部が形成されるようにしてあり、内部に電気ヒーターを備えている机型こたつと、該机型こたつとセットとなる椅子とを有する机型こたつセットを構成する椅子であって、
該椅子は、座部と、該座部が水平方向に回転自在に取り付けられている円板状の中台部と、該中台部が着脱自在である椅子脚部とを有し、前記中台部を椅子脚部に着脱することで、座部の高さを前記机型こたつの天板と相互に協調させて調節することができるようにしてある
机型こたつセット用の椅子。
【請求項３】
脚部材と天板を有し、該天板の高さを調節する天板高さ調節手段を有すると共に、前記脚部材に天板の高さの変化に関わりなく、使用者の足が当たらないように切り欠いた逃げ部が形成されるようにしてあり、内部に電気ヒーターを備えている机型こたつと、該机型こたつとセットとなる椅子とを有する机型こたつセットを構成する椅子であって、
後部側に背もたれが形成された基板上面にクッションが取り付けられた構造の座部と、
該座部が回転軸支具を介し水平方向に回転自在に取り付けられている円板状の中台部と、
十字形に形成された架台部材と、該架台部材の四箇所の先端部に下方へ向け固定された脚部材とを有し、前記架台部材の各横架部に前記中台部が着脱自在である椅子脚部とを有し、
前記座部と中台部は、前記椅子脚部から取り外した状態で、前記中台部を台として前記座部を回転させることができる前記座部が低い回転椅子となるようにし、前記中台部を前記椅子脚部に固定することで、前記座部が高い脚付きの回転椅子となるようにしてある
机型こたつセット用の椅子。
【発明の詳細な説明】
【技術分野】
【０００１】
本発明は、机型こたつセット用の椅子に関するものである。更に詳しくは、電気ヒーターを備えている机型こたつと、椅子からなる机型こたつセットにおいて、机型こたつの天板と椅子の座部の高さを相互に協調させて調節することができる机型こたつセットを構成する椅子に関する。
【背景技術】
【０００２】
近年においては、こたつも多様化してきており、普通に使用されている足の短いテーブル型のこたつ以外にも、足の長いテーブル型又は机型のこたつも実用化され、広く使用されている。このような、足の長いテーブル型又は机型のこたつとしては、例えば特許文献１に開示されたこたつがある。
【０００３】
特許文献１記載の「いす付き冷気遮断こたつ」は、折り畳み椅子の全前脚を囲む一個の筒状遮断帯を折り畳み椅子に着脱自在に連架し、筒状遮断帯の、折り畳み椅子の間に架け渡された部分の左右の概略中央で上部に、一台のこたつに少なくとも一個の錘を着脱自在に付ける構造を有し、椅子の位置や角度を多少変えても、こたつに冷気の侵入がないというものである。
また、この文献には、長脚こたつと椅子のセット及び他の実施例として学習机と椅子のセットも開示されている。
【先行技術文献】
【特許文献】
【０００４】
【特許文献１】特開２００１−３５５８５７
【発明の概要】
【発明が解決しようとする課題】
【０００５】
前記「いす付き冷気遮断こたつ」は、椅子の位置や角度を多少変えても、こたつに冷気の侵入がないようにするという目的を達成するためには十分に有用であると思われる。
しかしながら、特許文献１で開示されている長脚こたつと椅子のこたつセット及び学習机と椅子のこたつセットは、いずれも高さの調節、すなわち長脚こたつ及び学習机では天板の高さの調節及び椅子では座部の高さの調節ができるようにはなっていない。
【０００６】
このため、例えば使用者の体の大きさや使用する用途等に合わせて長脚こたつや学習机の天板の高さを調節することや、更に長脚こたつや学習机の天板の高さに適するように椅子の座部の高さを調節すること等、使用者がこたつセットを、より使いやすくするための調節をすることができない。
【０００７】
本発明の目的は、電気ヒーターを備えている机型こたつと、椅子からなる机型こたつセットにおいて、机型こたつの天板と椅子の座部の高さを相互に協調させて調節することができるようにして、例えば使用者の体の大きさや使用する用途等に合わせて、より使いやすいようにすることができる机型こたつセット用の椅子を提供することである。
【課題を解決するための手段】
【０００８】
上記課題を解決するために本発明が講じた手段は次のとおりである。
（１）本発明は、
後部側に背もたれが形成された基板上面にクッションが取り付けられた構造の座部と、
該座部が回転軸支具を介し水平方向に回転自在に取り付けられている円板状の中台部と、
十字形に形成された架台部材と、該架台部材の四箇所の先端部に下方へ向け固定された脚部材とを有し、前記架台部材の各横架部に前記中台部が着脱自在である椅子脚部とを有し、
前記座部と中台部は、前記椅子脚部から取り外した状態で、前記中台部を台として前記座部を回転させることができる前記座部が低い回転椅子となるようにし、前記中台部を前記椅子脚部に固定することで、前記座部が高い脚付きの回転椅子となるようにしてある
椅子である。
【０００９】
（２）本発明は、
脚部材と天板を有し、該天板の高さを調節する天板高さ調節手段を有すると共に、前記脚部材に天板の高さの変化に関わりなく、使用者の足が当たらないように切り欠いた逃げ部が形成されるようにしてあり、内部に電気ヒーターを備えている机型こたつと、該机型こたつとセットとなる椅子とを有する机型こたつセットを構成する椅子であって、
該椅子は、座部と、該座部が水平方向に回転自在に取り付けられている円板状の中台部と、該中台部が着脱自在である椅子脚部とを有し、前記中台部を椅子脚部に着脱することで、座部の高さを前記机型こたつの天板と相互に協調させて調節することができるようにしてある
机型こたつセット用の椅子である。
【００１０】
（３）本発明は、
脚部材と天板を有し、該天板の高さを調節する天板高さ調節手段を有すると共に、前記脚部材に天板の高さの変化に関わりなく、使用者の足が当たらないように切り欠いた逃げ部が形成されるようにしてあり、内部に電気ヒーターを備えている机型こたつと、該机型こたつとセットとなる椅子とを有する机型こたつセットを構成する椅子であって、
後部側に背もたれが形成された基板上面にクッションが取り付けられた構造の座部と、
該座部が回転軸支具を介し水平方向に回転自在に取り付けられている円板状の中台部と、
十字形に形成された架台部材と、該架台部材の四箇所の先端部に下方へ向け固定された脚部材とを有し、前記架台部材の各横架部に前記中台部が着脱自在である椅子脚部とを有し、
前記座部と中台部は、前記椅子脚部から取り外した状態で、前記中台部を台として前記座部を回転させることができる前記座部が低い回転椅子となるようにし、前記中台部を前記椅子脚部に固定することで、前記座部が高い脚付きの回転椅子となるようにしてある
机型こたつセット用の椅子である。
【００１１】
（削除）
【００１２】
本発明にいう「机型こたつ」の用語は、例えば本などを読み、字を書いたりするのに用いる台（机）又は飲食用の器物を載せる台（食卓、テーブル）に電気ヒーターを備えてこたつの機能を持たせたものという意味を含むものである。
【００１３】
（作用）
本発明に係る机型こたつセットの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１４】
机型こたつセットは、机型こたつ(1)と椅子(2)で構成されており、机型こたつ(1)は、天板高さ調節手段(16,16a,161,162,163,13,13a,131,132,133,18)によって天板(12)の高さを調節することができ、椅子(2)は、座部高さ調節手段(21,22,210,270,29)によって座部(20)の高さを調節することができる。
【００１５】
これにより、机型こたつ(1)の天板(12)と椅子(2)の座部(20)の高さを相互に協調させて調節することができる。したがって、例えば使用者の体の大きさや使用する用途等に合わせて、机型こたつセットをより使いやすいようにすることができる。
【００１６】
脚部材(13,13a,16,16a)に、天板(12)の高さの変化に関わりなく、使用者の足が当たらないように切り欠いた逃げ部(100)が形成されるようにしてあるものは、椅子(2)に座った使用者が座部(20)を回転させて机型こたつ(1)から出たり入ったりするときに、膝等をこの逃げ部(100)に通すようにすることで、机型こたつ(1)の脚部材(13,13a,16,16a)に当たらないか当たりにくくなり、使いやすい利点がある。
【発明の効果】
【００１７】
本発明は、電気ヒーターを備えている机と、椅子からなる机型こたつセットにおいて、机型こたつの天板と椅子の座部の高さを相互に協調させて調節することができるので、例えば使用者の体の大きさや使用する用途等に合わせて、より使いやすいようにすることができる机型こたつセット用の椅子を提供することができる。
【図面の簡単な説明】
【００１８】
【図１】本発明に係る机型こたつセットの一実施の形態を示す斜視説明図。
【図２】本発明に係る机型こたつセットを構成する机型こたつの分解斜視図。
【図３】本発明に係る机型こたつセットを構成する椅子の分解斜視図。
【図４】机型こたつセットの使用方法を示し、（ａ）は机型こたつの天板が高位置のときの説明図、（ｂ）は机型こたつの天板が中位置のときの説明図、（ｃ）は机型こたつの天板が低位置のときの説明図。
【発明を実施するための形態】
【００１９】
〔実施の形態〕
【００２０】
本発明を図面に示した実施の形態に基づき詳細に説明する。
図１乃至図３を参照する。
机型こたつセットＡは、図１に示すように、机型こたつ１と椅子２がセット（組）となって構成されている。
【００２１】
机型こたつ１は、図２に示すように、台部１０と昇降調節部１１及び天板１２で構成されている。
台部１０は、それぞれ鉛直方向かつ所要間隔をおいて互いに平行に配された下部脚板１３、１３ａを有している。下部脚板１３、１３ａは、長方形の板体の後側（図２で右側）の上部を角部が丸いＬ型に切り欠いた切欠部１３０を有する形状である。下部脚板１３、１３ａの下縁部には、下縁部より後部側へやや長い安定部材１３４、１３４ａが取り付けられている。
【００２２】
下部脚板１３、１３ａは、前部側の下部を所要長さの板体である連結部材１４をネジ止めにより連結して前記間隔をおいて一体化されている。また、下部脚板１３、１３ａには、それぞれ固定手段を構成するネジ孔（個別の符号は省略）が形成されている。詳しくは、下部脚板１３、１３ａに形成されている前後方向の両側のそれぞれ上下二箇所、合計四箇所のネジ孔を一組としている。下部脚板１３、１３ａの内面には、このネジ孔組１３１、１３２、１３３が外面に貫通しないようにして、下から上方向に所要の間隔で三段に設けられている。
【００２３】
昇降調節部１１は、長方形状で横長の中天板１５を有している。中天板１５の下面には、電気ヒーター１５０が取り付けられている。中天板１５の左右幅方向の両端部には、下方へ向けて上部脚板１６、１６ａがネジ止めにより固定されている。上部脚板１６、１６ａは、中天板１５と直角かつ互いに平行に形成されている。上部脚板１６、１６ａの間隔は、前記下部脚板１３、１３ａの内面に上部脚板１６、１６ａの外面が接してスライドできる間隔に設定されている。
【００２４】
上部脚板１６、１６ａは、長方形の板体の後側（図２で右側）の下部を角部が丸いＬ型に切り欠いた切欠部１６０を有し、その反対側の前側に切欠部１６０より前後方向の幅がやや狭い逃げ部１６４を有する形状である。逃げ部１６４は、昇降調節部１１が下降したときに、上部脚板１６、１６ａが前記台部１０の連結部材１４に当たらないようにするための逃げである。
【００２５】
上部脚板１６、１６ａは、前部側の上部を所要長さの板体である連結部材１７をネジ止めにより連結して一体化が補強されている。また、上部脚板１６、１６ａには、それぞれ固定手段を構成するネジ孔（個別の符号は省略）が形成されている。詳しくは、上部脚板１６、１６ａに形成されている前後方向の両側のそれぞれ上下二箇所、合計四箇所のネジ孔を一組としている。上部脚板１６、１６ａには、このネジ孔組１６１、１６２、１６３が、内外面を貫通して下から上方向に所要の間隔で三段に設けられている。
【００２６】
中天板１５の左右幅方向の両端寄りかつ前後方向のほぼ中間には、止めネジ具１５１が取り付けられている。各止めネジ具１５１は、回転ツマミ部（符号省略）は中天板１５の下面側に出るように、ネジ部（符号省略）は先端部が中天板１５の上面側に出るようにしてあり、軸周方向に回転自在に保持されている。
【００２７】
また、天板１２は長方形状で、中天板１５と前後幅がほぼ同じで、左右幅がやや広い大きさに形成されている。天板１２の左右幅方向の両端寄りの裏面側には、前記各止めネジ具１５１を螺着するためのネジ孔１２０が形成されている。
【００２８】
机型こたつ１は、前記台部１０と昇降調節部１１及び天板１２を組み立てて形成される。
まず、台部１０を据え置き、昇降調節部１１の上部脚板１６、１６ａを台部１０の下部脚板１３、１３ａの内側に嵌め入れ、例えば上部脚板１６、１６ａの最下部のネジ孔組１６１を下部脚板１３、１３ａの最上部のネジ孔組１３３に合わせ、内側の上部脚板１６、１６ａ側から固定手段であるネジ１８を螺着して、台部１０に昇降調節部１１を取り付ける。次に、止めネジ具１５１によって天板１２を中天板１５に取り付ける。
【００２９】
前記組み立てた状態では、天板１２は最も高い「高位置」に設定されている状態（後述する図４（ａ）参照）であるが、合わせるネジ孔組を変えることで、天板１２の高さを複数段階に調節することができる。具体的には、上部脚板１６、１６ａのネジ孔組１６１を下部脚板１３、１３ａの中段部のネジ孔組１３２に合わせれば、天板１２は中段の「中位置」に設定され（後述する図４（ｂ）参照）、上部脚板１６、１６ａのネジ孔組１６２を下部脚板１３、１３ａの最下部のネジ孔組１３１に合わせれば、天板１２は最下段の「低位置」に設定される（後述する図４（ｃ）参照）。
【００３０】
なお、前記ネジ孔組の配置によれば、前記以外にも、例えば上部脚板１６、１６ａの中段のネジ孔組１６２を下部脚板１３、１３ａの中段部のネジ孔組１３２に合わせることにより、天板１２を前記「中位置」の高さよりやや低い高さに調節することもできる。
また、天板１２は、こたつ布団を使用する使用状態においては、中天板１５から取り外され、中天板１５に被せられたこたつ布団の上に載置されて使用される（後述する図４参照）。
【００３１】
前記机型こたつ１とセットとなる椅子２は、図３に示すように、座部２０と、中台部２１及び椅子脚部２２で構成されている。
座部２０は、基板２３の上面にクッション２４が取り付けられた構造であり、基板２３の後部側（図３で奥側）には、背もたれ２５が形成されている。基板２３の下面側には、円板状の中台部２１が回転軸支具２６を介し回転自在に取り付けられている。回転軸支具２６の下金具２６０は中台部２１の中心部にネジ止めにより固定され、下金具２６０に回転自在に取り付けられている上金具２６１は基板２３の下面にネジ止めにより固定されている。
【００３２】
前記椅子脚部２２は、十字形に形成された架台部材２７と、架台部材２７の四箇所の先端部に下方へ向け外側へやや拡がるように傾斜して固定された脚部材２８で形成されている。架台部材２７の四本の各横架部（符号省略）には、それぞれ上下方向へ貫通した通孔２７０が形成されている。前記構成の座部２０と中台部２１は、中台部２１の底面の四箇所に形成されたネジ孔２１０に通孔２７０に通したネジ２９をネジ込むことにより、椅子脚部２２と一体化されている。
【００３３】
座部２０と中台部２１は、前記構成を有することにより、中台部２１を台として座部２０を回転させることができる座部２０が低い回転椅子として使用することができる。
また、座部２０と中台部２１は、中台部２１を椅子脚部２２に固定することで、脚付きの椅子となり、座部２０が高い回転椅子として使用することができる。
【００３４】
（作用）
図４を主に参照して、机型こたつセットＡの作用を説明する。
机型こたつセットＡによれば、まず、机型こたつ１は、前記したように天板１２の高さを「高位置」（図４（ａ）参照）、「中位置」（図４（ｂ）参照）及び「低位置」（図４（ｃ）参照）の三段階に調節することができる。なお、こたつ布団３は、机型こたつ１の中天板１５の上に掛けられ、天板１２はそのこたつ布団３の上に載置される。
【００３５】
椅子２は、前記したように座部２０と中台部２１を椅子脚部２２と分離して中台部２１を台とする使い方（図４（ｃ）参照）と、座部２０と中台部２１を椅子脚部２２と一体化して椅子脚部２２を台とする使い方（図４（ａ）、（ｂ）参照）で、座部２０の高さを「高位置」と「低位置」の二段階に調節することができる。
また、椅子２の使用時には、四本の脚部材２８を囲むように冷気遮断幕２８０が取り付けられ、机型こたつ１内に脚部材２８の間の空間を通って冷気が侵入することを防止する。
【００３６】
これにより、図４（ａ）に示すように、机型こたつ１の天板１２と椅子２の座部２０の両方の高さを「高位置」に調節することで、一般の大人が使用しやすい設定とすることができる。また、図４（ｂ）に示すように、机型こたつ１の天板１２の高さを「中位置」とし、椅子２の座部２０の高さを「高位置」に調節することで、子供が使用しやすい設定とすることができる。更には、図４（ｃ）に示すように、机型こたつ１の天板１２の高さを「低位置」とし、椅子２の座部２０の高さを「低位置」に調節することで、高齢者が使用しやすい設定とすることができる。
【００３７】
なお、(1)前記机型こたつ１の天板１２と椅子２の座部２０の両方の高さを「高位置」に調節した場合、(2)机型こたつ１の天板１２の高さを「中位置」とし、椅子２の座部２０の高さを「高位置」に設定した場合及び(3)机型こたつ１の天板１２の高さを「低位置」とし、椅子２の座部２０の高さを「低位置」に設定した場合の各タイプにおいて、図４（ａ）、図４（ｂ）、図４（ｃ）にそれぞれ示すように、下部脚板１３、１３ａの切欠部１３０と、上部脚板１６、１６ａの切欠部１６０によって逃げ部１００が形成される。
【００３８】
このように、机型こたつ１の天板１２を上下させて「高位置」、「中位置」、「低位置」で調節しても、各位置において、縦方向の長さは異なるが逃げ部１００が形成される。したがって、例えば椅子２に座った使用者が座部２０を回転させて机型こたつ１から出たり入ったりするときに、膝等をこの逃げ部１００に通すようにすることで、机型こたつ１の下部脚板１３、１３ａ及び上部脚板１６、１６ａに当たらないか当たりにくくなり、使いやすい利点がある。
【００３９】
このように、机型こたつセットＡによれば、机型こたつ１の天板１２と椅子２の座部２０の高さを相互に協調させて調節することができるので、前記のように、使用者の体の大きさや使用する用途等に合わせて、より使いやすいように設定することができる。
【００４０】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４１】
Ａ  机型こたつセット
１  机型こたつ
１０  台部
１００  逃げ部
１１  昇降調節部
１２  天板
１２０  ネジ孔
１３、１３ａ  下部脚板
１３０  切欠部
１３１  ネジ孔組
１３２  ネジ孔組
１３３  ネジ孔組
１３４  安定部材
１４  連結部材
１５  中天板
１５０  電気ヒーター
１５１  ネジ具
１６、１６ａ  上部脚板
１６０  切欠部
１６１  ネジ孔組
１６２  ネジ孔組
１６３  ネジ孔組
１６４  逃げ部
１７  連結部材
１８  ネジ
２  椅子
２０  座部
２１  中台部
２１０  ネジ孔
２２  椅子脚部
２３  基板
２４  クッション
２５  背もたれ
２６  回転軸支具
２６０  下金具
２６１  上金具
２７  架台部材
２７０  通孔
２８  脚部材
２８０  冷気遮断幕
２９  ネジ
３  こたつ布団
【図１】
0005608129.tif 000002
【図２】
0005608129.tif 000003
【図３】
0005608129.tif 000004
【図４】
0005608129.tif 000005